(57)【要約】第一及び第二コンタクトピン（１０４、１０６）、外部コンタクト部材（１０２）、及び、内部アライメント部材（３２０）を含む同軸コネクタ（１００）。その内部アライメント部材は、導電性であってもよく、その外部コンタクト部材内で同軸上に位置付けられてもよい。その内部アライメント部材は、相対する第一及び第二端部（３２４、３２６）を持つ少なくとも一つの実質的にチューブ状の部分（３２２）を含み得る。それらコンタクトピンのそれぞれは、その実質的にチューブ状の部分内に含まれる第一端部（３３６、３３８）、及び、その内部アライメント部材の各端部（３２４、３２６）を超えて延びる第二端部（３４４、３４６）を含み得る。スプリング（３５６）は、相対する方向にそのコンタクトピンを弾性的に付勢するために、各コンタクトピンの第一端部間に配置され得る。
2008529255.tif 000002
【特許請求の範囲】
【請求項１】
同軸コネクタであって：
外部コンタクト部材；
前記外部コンタクト部材から電気的に絶縁され、かつ、少なくとも部分的に前記外部コンタクト部材内に配置される第一コンタクトピン；
前記外部コンタクト部材から電気的に絶縁され、かつ、少なくとも部分的に前記外部コンタクト部材内に配置される第二コンタクトピン；
前記第一及び第二コンタクトピン間に配置され、かつ、前記第一及び第二コンタクトピンを相対する方向に弾性的に付勢する少なくとも一つのスプリング
を含む同軸コネクタ。
【請求項２】
前記第一及び第二ピンは、前記外部コンタクト部材と共に同軸上に揃えられる、
請求項１の同軸コネクタ。
【請求項３】
前記第一コンタクトピンは、前記外部コンタクト部材内に配置される第一端部、及び、前記外部コンタクト部材を超えて延びる第二端部を含む、
請求項１の同軸コネクタ。
【請求項４】
前記第二コンタクトピンは、前記外部コンタクト部材内に配置される第一端部、及び、前記外部コンタクト部材を超えて延びる第二端部を含む、
請求項３の同軸コネクタ。
【請求項５】
前記外部コンタクト部材と前記第一及び第二コンタクトピンの少なくとも一つとの間に配置される少なくとも一つの誘電部材を更に含む、
請求項１の同軸コネクタ。
【請求項６】
同軸コネクタであって：
外部コンタクト部材；
前記外部コンタクト部材内で同軸上に位置付けられる内部アライメント部材であり、該内部アライメント部材が、少なくとも一つの実質的にチューブ状の部分、並びに、相対する第一及び第二端部を含むところの内部アライメント部材；
前記少なくとも一つの実質的にチューブ状の部分内に含まれる第一端部、及び、前記内部アライメント部材の前記第一端部を超えて延びる第二端部を有する第一コンタクトピン；
前記少なくとも一つの実質的にチューブ状の部分内に含まれる第一端部、及び、前記内部アライメント部材の前記第二端部を超えて延びる第二端部を有する第二コンタクトピン；
前記第一及び第二コンタクトピンの前記第一端部間に配置され、かつ、前記第一及び第二コンタクトピンを相対する方向に弾性的に付勢する、少なくとも一つのスプリング
を含む同軸コネクタ。
【請求項７】
電気システムであって：
第一プリント回路基板及び第二プリント回路基板であり、該第一及び第二プリント回路基板のそれぞれが、コネクタレセプタクル；コンタクトパッド；を含むところの第一プリント回路基板及び第二プリント回路基板：
前記第一及び第二プリント回路基板間に置かれる同軸コネクタであり、該同軸コネクタが、外部コンタクト部材；前記外部コンタクト部材から電気的に絶縁され、かつ、少なくとも部分的に前記外部コンタクト部材内に配置される第一コンタクトピン；前記外部コンタクト部材から電気的に絶縁され、かつ、少なくとも部分的に前記外部コンタクト部材内に配置される第二コンタクトピン；前記第一及び第二コンタクトピン間に配置され、かつ、前記第一及び第二コンタクトピンを相対する方向に弾性的に付勢する少なくとも一つのスプリング；を含むところの同軸コネクタ：
を含み、
前記第一コンタクトピンが前記第一プリント回路基板の前記コンタクトパッドに接触し、前記外部コンタクト部材の前記第一端部が前記第一プリント回路基板の前記コネクタレセプタクル内に位置付けられ、前記第二コンタクトピンが前記第二プリント回路基板の前記コンタクトパッドに接触し、かつ、前記外部コンタクト部材の前記第二端部が前記第二プリント回路基板の前記コネクタレセプタクル内に位置付けられる、
電子システム。
【請求項８】
前記第一及び第二コンタクトピンは、前記外部コンタクト部材と共に同軸上に揃えられる、
請求項１１の電気システム。
【請求項９】
前記第一コンタクトピンは、前記外部コンタクト部材内に配置される第一端部、及び、前記外部コンタクト部材を超えて延びる第二端部を含む、
請求項１１の電気システム。
【請求項１０】
前記第二コンタクトピンは、前記外部コンタクト部材内に配置される第一端部、及び、前記外部コンタクト部材を超えて延びる第二端部を含む、
請求項１３の電気システム。
【発明の詳細な説明】
【技術分野】
【０００１】
本発明のアレンジメント（装置）は、同軸コネクタに関し、より詳細には、プリント回路基板を相互に接続する同軸コネクタに関する。
【背景技術】
【０００２】
電気システムを組み立てる場合、高周波信号を一のプリント回路基板（ＰＣＢ）から他のものへ送信するために、二又は三以上のＰＣＢを接続することがしばしば要求される。同軸コネクタは、ＰＣＢ間の信頼性のある信号接続を構築するために、従来から利用されている。例えば、ＭＩＬ−ＳＴＤ−３４８（軍用規格）に記載されるＳＭＰコネクタのようなメス−メス型の同軸コネクタが、時折使用される。そのようなコネクタは理想的ではない。特に、メス−メス型コネクタは、ＰＣＢに組み込まれるためには、オス型シュラウド及びオス型ピンのようなオス型の機構を必要とする。オス型ピンは、ＰＣＢに組み込むには高価であり、極めて壊れやすい。更に、ＰＣＢに設置されるオス型シュラウドは、かなり大きくなる傾向にあり、それにより、回路の小型化を妨げる。
【０００３】
表面実装型の同軸コネクタもまた、高周波信号のための伝導経路を提供するために開発された。そのようなコネクタの一つは、Ｃｒｉｔｅｌｌｉの米国特許第６６９９０５４号に開示されている。Ｃｒｉｔｅｌｌｉは、内部及び外部コンタクトアセンブリを含む同軸コネクタを説明する。その外部コンタクトアセンブリは、ＰＣＢにしっかりと取り付けられたベース、及び、そのベースに対して軸方向及び半径方向の双方に移動可能な浮動外部コンタクトを含む。その内部コンタクトアセンブリは、横への浮動を許可する方法で回路基板上の信号搬送回路素子に接続されるプランジャを含む。別のコネクタは、Ｄｕｑｕｅｒｒｏｙらの米国特許第６７５８６８０号によって開示される。Ｄｕｑｕｅｒｒｏｙは、ＰＣＢにしっかりと固定される誘電ケースを有する同軸コネクタを説明する。そのコネクタはまた、内部導体及び外部導体を含み、それらのそれぞれは、はめ合い位置と非はめ合い位置との間で弾性的に付勢される。
【０００４】
ブラインドのはめ合い方法で同軸コネクタを用いて二つのＰＣＢを相互に接続する電気システムは、Ｚｏｒｚｙの米国特許第４９２５４０３号で開示されている。Ｚｏｒｚｙは、外部導電性シェル内で同軸上に位置付けられる中央導体の何れか一方の端部にメス型の要素を有する同軸コネクタを説明する。誘電体は、その外部導電性シェルとそのメス型要素／中央導体との間に配置される。そのコネクタは、二つの端部を含み、それらのそれぞれは、ＰＣＢに取り付けられるオス型コネクタ、又は、他のそのような電子デバイスに結合させるよう構成される。
【０００５】
Ｃｒｉｔｅｌｌｉ及びＤｕｑｕｅｒｒｏｙの双方では、その同軸コネクタは、説明されるように、ＰＣＢにしっかりと固定される表面実装型構造である。Ｚｏｒｚｙでは、その同軸コネクタは、一対のオス型コネクタの間に配置される。
【特許文献１】米国特許第６６９９０５４号明細書
【特許文献２】米国特許第６７５８６８０号明細書
【特許文献３】米国特許第４９２５４０３号明細書
【発明の開示】
【発明が解決しようとする課題】
【０００６】
前述の構造のそれぞれは、実施するのに高価である。更に、これらのコネクタは、ＰＣＢから著しく突出し、ひいては、損傷を受けやすいものとなり得る。従って、耐久性があり、コンパクトで、かつ、低廉な同軸コネクタが、ＰＣＢを相互に接続するために必要とされる。
【課題を解決するための手段】
【０００７】
本発明は、二つのプリント回路基板（ＰＣＢ）間の信号接続を提供するために使用され得る同軸コネクタに関する。その同軸コネクタは、第一及び第二コンタクトピン、外部コンタクト部材、並びに、内部アライメント部材を含み得る。その内部アライメント部材は、導電性であってもよく、また、その外部コンタクト部材内で同軸上に位置付けられてもよい。その内部アライメント部材は、相対する第一及び第二の端部を持つ、少なくとも一つの実質的にチューブ状である部分を含み得る。それらコンタクトピンのそれぞれは、実質的にチューブ状である部分内に含まれる第一端部、及び、その内部アライメント部材の各端部を超えて延びる第二端部を含み得る。スプリングは、各コンタクトピンの第一端部間に配置されてもよく、相対する方向にそれらコンタクトピンを弾性的に付勢する。
【０００８】
その同軸コネクタは、更に、その外部コンタクト部材とその内部アライメント部材の第一及び第二端部の少なくとも一つとの間に配置される少なくとも一つの誘電部材を含み得る。その誘電部材は、その内部アライメント部材の端部の少なくとも一つを超えて延びる突出部分を含み得る。その突出部分は、第一及び第二コンタクトピンのそれぞれのもののためのガイドチャネルを規定し得る。
【０００９】
本発明はまた、第一ＰＣＢ、第二ＰＣＢ、及び、前述の同軸コネクタを含む電気システムに関する。それらＰＣＢのそれぞれは、コネクタレセプタクル（コンセント）を含んでいてもよく、その同軸コネクタの各端がそれらコネクタレセプタクルのそれぞれのものの内に位置付けられるようにする。それらＰＣＢのそれぞれはまた、その同軸コネクタの各ピンと接触するコンタクトパッドを含んでいてもよい。例えば、その第一コンタクトピンは、その第一ＰＣＢのコンタクトパッドに接触してもよく、また、その第二コンタクトピンは、その第二ＰＣＢのコンタクトパッドに接触してもよい。
【発明を実施するための最良の形態】
【００１０】
本発明は、第一のプリント回路基板と第二のプリント回路基板との間に、その第一及び第二のプリント回路基板との間の信号接続を提供するために置かれ得る、低コストの同軸コネクタに関する。その同軸コネクタは、各ＰＣＢのコンタクトパッド間で電気的導通を維持するために、弾性的に付勢されており、かつ、自動調節式であるコンタクトピンをそのコネクタの相対する端部に含む。更に、その同軸コネクタは、各ＰＣＢ上のコネクタレセプタクルと係合する、相対する端部分を有する外部コンタクト部材を含む。その外部コンタクト部材は、そのコンタクトピンを経て第一及び第二ＰＣＢ間で通信される無線周波数信号のための高周波リターンパス（又は、グラウンド（接地））を提供し得る。
【実施例】
【００１１】
図１を参照すると、同軸コネクタ１００（以下、「コネクタ」とする。）の側面図が示される。コネクタ１００は、外部コンタクト部材１０２、第一コンタクトピン１０４、及び、第二コンタクトピン１０６を含み得る。外部コンタクト部材１０２が導電性であるアレンジメントでは、コネクタ１００はまた、外部コンタクト部材１０２と各コンタクトピン１０４、１０６との間に配置される第一誘電部材１０８及び第二誘電部材１１０を含み得る。第一及び第二誘電部材１０８、１１０は、以下に詳述されるように、コンタクトピン１０４、１０６をガイドし、かつ、コンタクトピン１０４、１０６を外部コンタクト部材１０２から絶縁するのに役立ち得る。更に、外部コンタクト部材１０２は、同様に以下で説明されるように、コネクタレセプタクルのそれぞれのものをかみ合わせるためにそれぞれ環状の突起１１３、１１５を有する第一端部１１２及び相対する第二端部１１４を含み得る。スロット１１６、１１８は、端部１１２、１１４が各コネクタレセプタクルに挿入されるときに、端部１１２、１１４のたわみを促すために、第一及び第二端部１１２、１１４のそれぞれで形成され得る。
【００１２】
図２は、図１の同軸コネクタ１００の端面図である。図示されるように、第二コンタクトピン１０６及び第二誘電部材１１０は、外部コンタクト部材１０２の同軸上に揃えられ得る。第一コンタクトピン及び第一誘電部材（図示せず。）もまた、外部コンタクト部材１０２の同軸上に揃えられ得る。
【００１３】
図３は、線３−３に沿った図１の同軸コネクタ１００の断面図である。少なくとも一つの実質的にチューブ状である部分３２２を有する内部アライメント部材３２０は、外部コンタクト部材１０２内で同軸上に位置付けられ得る。内部アライメント部材３２０はまた、第一端部３２４及び相対する第二端部３２６を含み得る。第一及び第二端部３２４、３２６は、チューブ部分３２２の内径３３０より小さい内径３２８を有していてもよく、それにより、第一及び第二端部３２４、３２６がチューブ部分３２２に係合するところの遷移部３３２、３３４を規定する。第一及び第二端部３２４、３２６の内径３２８は、各コンタクトピン１０４、１０６のためのガイドチャネルを規定し得る。
【００１４】
なお、各コンタクトピン１０４、１０６は、それぞれの第一端部３３６、３３８、シャフト３４０、３４２、及び、それぞれの第二端部３４４、３４６を含み得る。コンタクトピン１０４、１０６の第一端部３３６、３３８は、内部アライメント部材３２０の第一及び第二端部３２４、３２６の内径３２８より大きいが、チューブ部分３２２の内径３３０より僅かに小さい外径３４８を有し得る。更に、コネクタ１００の組み立て前に、コンタクトピン１０４、１０６のシャフト３４０、３４２は、内部アライメント部材３２０の第一及び第二端部３２４、３２６の内径３２８より僅かに大きい外径３５０を有し得る。
【００１５】
内部アライメント部材３２０は、導電性であってもよい。第一及び第二端部３２４、３２６は、スロット（図示せず。）を備えていてもよい。そのスロットは、コンタクトピン１０４、１０６のシャフト３４０、３４２が端部３２４、３２６のそれぞれに挿入されるときに、第一及び第二端部３２４、３２６の内径３２８が拡張するのを許容し得、さらにまた、第二端部３２４、３２６がシャフト３４０、３４２に対して弾性的に付勢されるのを許容し得る。このような構成は、コンタクトピン１０４、１０６と内部アライメント部材３２０との間の適切な電気的導通を保証し得、ひいては、コンタクトピン１０４、１０６のそれぞれの間の電気的導通をもたらす。更に、内部アライメント部材３２０のチューブ部分３２２は、コンタクトピン１０４、１０６の第一端部３３６、３３８に接触し、かつ、中心軸３５８に沿ってコンタクトピン１０４、１０６をガイドするのに用いられ得る。
【００１６】
各遷移部３５２、３５４は、各シャフト３４０、３４２が第一端部３３６、３３８と係合するところであるコンタクトピン１０４、１０６上に規定され得る。更に、少なくとも一つのスプリング３５６が内部アライメント部材３２０のチューブ部分３２２内において、コンタクトピン１０４、１０６の各第一端部３３６、３３８の間に配置されてもよい。スプリング３５６は、コンタクトピン１０４、１０６の各第二端部３４４、３４６が内部アライメント部材３２０の各端部３２４、３２６を超えて適切な距離だけ延びるときにコンタクトピン１０４、１０６の遷移部３５２、２５４が内部アライメント部材３２０の各遷移部３３２、３３４と係合する位置まで、それらコンタクトピンを弾性的に付勢するようにしてもよい。適切な距離は、同軸コネクタ１００がはめ合わせのコネクタレセプタクルに適切に挿入されるときに、コンタクトピン１０４、１０６が、関連するコンタクトパッドに接触するのを保証する距離である。スプリング３５６は、コンタクトピン１０４、１０６の、チューブ部分３２２の中心軸３５８に沿った内側への動きを許容するよう収縮し得る。少しの間だけ注意を図４に転じると、スプリング３５６は、コンタクトピン１０４、１０６と各コンタクトパッド４１４、４１８との間の接触圧の量を維持しながら、コンタクトパッド４１４、４１８の位置の変動を自動的に補正するためのピン張力調整を提供する。
【００１７】
再度、図３を参照すると、内部アライメント部材３２０は、第一部分３６０及び第二部分３６２を含み得る。第一部分３６０は、締め具（クラスプ）３６４を含み得、また、第二部分３６２は、突起部（リッジ）３６６を含み得る。有利的には、内部アライメント部材３２０は、最初にコンタクトピン１０４、１０６を内部アライメント部材３２０の各部分３６０、３６２に挿入し、そして、スプリング３５６を部分３６０、３６２の一つに挿入し、かつ、最後に、クラスプ３６４がリッジ３６６と係合するよう中心軸３５８に沿って第一及び第二部分３６０、３６２を一緒に押し付けることで、低廉に組み立てられ得る。当業者は、他の適切な手段が第一及び第二部分３６０、３６２を結合するために使用されてもよく、かつ、本発明がこの点に限定されないことを理解する。
【００１８】
同様に、外部コンタクト部材１０２は、第一部分３６８及び第二部分３７０を含み得る。コネクタ１００を組み立てるため、第三誘電部材３７２が内部アライメント部材３２０のチューブ部分３２２の周りに配置され得る。追加的に、第一及び第二誘電部材１０８、１１０は、内部アライメント部材３２０の第一及び第二端部３２４、３２６上で、かつ、コンタクトピン１０４、１０６のシャフト３４０、３４２の一部の上に、それぞれ配置され得る。誘電部材１０８、１１０、３７２、内部アライメント部材３２０、コンタクトピン１０４、１０６、及び、スプリング３５６は、一緒になって、内部アセンブリ３７４を形成し得る。
【００１９】
外部コンタクト部材１０２の第一部分３６８は、そのとき、内部アセンブリ３７４上に配置され得、第一誘電部材１０８のベース部分３７６が外部コンタクト部材１０２の第一端部１１２内に適合するようにする。更に、第一部分３６８に規定されるリッジ３７８は、第三誘電部材３７２に接してもよい。同様に、外部コンタクト部材１０２の第二部分３７０は、そのとき、第二誘電部材１１０のベース部分３８０が外部コンタクト部材１０２の第二端部１１４内に適合するよう、また、第二部分３７０に規定されるリッジ３８２が、第三誘電部材３７２に接するよう、内部アセンブリ３７４上に位置付けられてもよい。更に、誘電部材１０８、１１０のそれぞれは、内部アライメント部材３２０の各端部３２４、３２６を超えて延びる突出部分３８４、３８６をそれぞれ含んでいてもよい。誘電部材１０８、１１０の突出部分３８４、３８６は、コンタクトピン１０４、１０６をガイドし、かつ、それらの横への動きを極小化するために内部アライメント部材３２０と協調し得る。従って、コンタクトピン１０４、１０６の動きは、実質的に、中心軸３５８に合わせられ得る。
【００２０】
外部コンタクト部材１０２の第一及び第二部分３６８、３７０は、中心軸３５８に沿って一緒に押し付けられ、かつ、任意の適切な方法で締め付けられ得る。例えば、第一及び第二部分３６８、３７０は、圧入されてもよく、クラスプ（図示せず。）が第一及び第二部分３６８、３７０を一緒に固定するようにしてもよく、或いは、第一及び第二部分３６８、３７０が溶接され、ハンダ付けされ、若しくは、接着剤で接着されてもよい。それでもなお、当業者は、無数の技術の如何なるものが、第一及び第二部分３６８、３７０を結合するために使用されてもよく、かつ、本発明がそのように限定されないことを理解する。
【００２１】
信号反射を極小化するため、同軸コネクタがその同軸コネクタに接続される回路の特性インピーダンスに合致する特性インピーダンスを有することが一般的に望ましい。誘電部材１０８、１１０、３７２の誘電率、及び、内部アライメント部材３２０と外部コンタクト部材１０２との間の間隔は、そのような所望の特定インピーダンスを実現させるために選択され得る。そのようなパラメータの選択は、熟練者に知られている。
【００２２】
図４は、第一ＰＣＢ４０２と第二ＰＣＢ４０４との間に置かれる図１の同軸コネクタ１００の断面図である。ＰＣＢ４０２、４０４のそれぞれは、一又は二以上の基質層４０６、４１０を含み得る。更に、ＰＣＢ４０２、４０４のそれぞれは、それに取り付けられる追加的な構造を含み得る。例えば、第一剛体部材４０８がＰＣＢ４０２に取り付けられてもよく、また、第二剛体部材４１２がＰＣＢ４０４に取り付けられてもよい。剛体部材４０８、４１２は、ＰＣＢ４０２、４０４のための、機械的支持及び／又は熱散逸を提供し得る。剛体部材４０８、４１２は、任意の手段によって、ＰＣＢ４０２、４０４のそれぞれに取り付けられ得る。例えば、剛体部材４０８、４１２は、ＰＣＢ４０２、４０４にハンダ付けされてもよく、接着剤でＰＣＢ４０２、４０４に取り付けられてもよく、締め具でＰＣＢ４０２、４０４に取り付けられてもよい。一つのアレンジメントでは、剛体部材４０８、４１２とＰＣＢ４０２、４０４との間で導電性を提供するため、剛体部材４０８、４１２をＰＣＢ４０２、４０４に取り付けるために導電性接着剤が使用され得る。
【００２３】
第一ＰＣＢ４０２は、基質層４０６上に第一コンタクトパッド４１４を含み得る。第一レセプタクル４１６は、剛体部材４０８に形成され得る。同様に、第二ＰＣＢ４０４が、基質層４１０上に第二コンタクトパッド４１８を含んでいてもよく、また、第二レセプタクル４２０が、剛体部材４１２に形成されてもよい。第一及び第二コンタクトパッド４１４、４１８は、各回路トレース４２２、４２４に電気的に接続されてもよい。図示されるように、回路トレース４２２、４２４は、ＰＣＢ４０２、４０４の各表面に形成されてもよい。しかしながら、本発明は、この点に限定されない。例えば、ＰＣＢが複数の積み重ねられた基質層から形成される多層板である実施例において、回路トレース４２２、４２４は、何れの基質層の上に形成されてもよい。多層ＰＣＢの製造は、熟練者にとって周知である。
【００２４】
剛体部材４０８、４１２は、例えば、金属又はプラスチック等、如何なる適切な材料で形成されてもよく、また、第一及び第二レセプタクル４１６、４２０は、例えば、従来の機械加工技術を用いる等、任意の適切な方法により各剛体部材４０８、４１２で一体的に形成されてもよい。剛体部材４０８、４１２がプラスチックから形成される実施例では、導電性めっきがレセプタクルの内面４２６、４２８及びその基板と電気接触する構造物の表面に適用され得る。とりわけ、相対するＰＣＢ４０２、４０４の間で複数の接続を提供するために、複数のレセプタクルが、第一及び第二剛体部材４０８、４１２で形成されてもよい。
【００２５】
各レセプタクル４１６、４２０の内面４２６、４２８のそれぞれは、外部コンタクト部材１０２の第一及び第二端部１１２、１１４のそれぞれと係合する輪郭を有し得る。例えば、各内面４２６、４２８の第一部分４３０、４３２は、各端部１１２、１１４の環状突起１１３、１１５の直径よりも大きい直径を有していてもよく、内面４２６、４２８の第二部分４３４、４３６は、環状突起１１３、１１５の直径よりも僅かに小さい直径を有していてもよい。更に、第三部分４３８、４４０は、第一及び第二誘電部材１０８、１１０を収容できるよう成形され得る。
【００２６】
穴４４２、４４４は、剛体部材４０８、４１２のそれぞれを貫通して形成され得る。穴４４２、４４４は、第一及び第二コンタクトパッド４１４、４１８のそれぞれを露出させるために、レセプタクル４１６、４２０によって規定される領域内に位置付けられ得る。穴４４２、４４４の直径は、誘電部材１０８、１１０の突出部分３８４、３８６の直径より大きいものとなり得る。たとえ穴４４２、４４４が完全に調整されていない場合であっても、突出部分３８４、３８６の穴４４２、４４４への挿入を容易にするためである。従って、同軸コネクタ１００は、各レセプタクル４１６、４２０に圧入されてもよく、また、コンタクトピン１０４、１０６は、コンタクトパッド４１４、４１８に対して設置され、それにより、例えば、回路トレース４２２、４２４等、コンタクトパッド４１４、４１８とそれらに接続される任意の回路トレースとの間で電気的に連続する経路を提供するようにしてもよい。スプリング３５６は、コンタクトピン１０４、１０６を、それらが設置される位置に弾性的に付勢するようにしてもよい。
【００２７】
レセプタクル４１６、４２０の内面４２６、４２８のそれぞれは、導電性材料から形成されてもよく、或いは、導電性塗料で金属化されてもよい。導電材料又は塗料は、例えば、接地コンダクタ等、一又は二以上の電気導体に電気的に接続され得る。従って、外部コンタクト部材１０２及びレセプタクル４１６、４２０は、各ＰＣＢ４０２、４０４上の回路間に電気的に連続する経路を提供し得る。例えば、外部コンタクト部材１０２及びレセプタクル４１６、４２０は、ＰＣＢ４０２、４０４間で送信される信号のための、信号リターンパス又はグラウンド（接地）を提供し得る。
【図面の簡単な説明】
【００２８】
【図１】本発明の理解に役立つ同軸コネクタの側面図である。
【図２】図１の同軸コネクタの端面図である。
【図３】線３−３に沿った、図１の同軸コネクタの断面図である。
【図４】第一及び第二プリント回路基板間に置かれる、図１の同軸コネクタの断面図である。
【図１】
2008529255.tif 000003
【図２】
2008529255.tif 000004
【図３】
2008529255.tif 000005
【図４】
2008529255.tif 000006
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
同軸コネクタであって：
外部コンタクト部材；
前記外部コンタクト部材から電気的に絶縁され、かつ、少なくとも部分的に前記外部コンタクト部材内に配置される第一コンタクトピン；
前記外部コンタクト部材から電気的に絶縁され、かつ、少なくとも部分的に前記外部コンタクト部材内に配置される第二コンタクトピン；
前記第一及び第二コンタクトピン間に配置され、かつ、前記第一コンタクトピンを前記第二コンタクトピンから遠ざける方向に弾性的に付勢する少なくとも一つのスプリング
を含む同軸コネクタ。
【請求項２】
前記第一及び第二ピンは、前記外部コンタクト部材と共に同軸上に揃えられる、
請求項１の同軸コネクタ。
【請求項３】
前記第一コンタクトピンは、前記外部コンタクト部材内に配置される第一端部、及び、前記外部コンタクト部材を超えて延びる第二端部を含む、
請求項１の同軸コネクタ。
【請求項４】
前記第二コンタクトピンは、前記外部コンタクト部材内に配置される第一端部、及び、前記外部コンタクト部材を超えて延びる第二端部を含む、
請求項３の同軸コネクタ。
【請求項５】
前記外部コンタクト部材と前記第一及び第二コンタクトピンの少なくとも一つとの間に配置される少なくとも一つの誘電部材を更に含む、
請求項１の同軸コネクタ。
【請求項６】
同軸コネクタであって：
外部コンタクト部材；
前記外部コンタクト部材内で同軸上に位置付けられる内部アライメント部材であり、該内部アライメント部材が、少なくとも一つの実質的にチューブ状の部分、並びに、相対する第一及び第二端部を含むところの内部アライメント部材；
前記少なくとも一つの実質的にチューブ状の部分内に含まれる第一端部、及び、前記内部アライメント部材の前記第一端部を超えて延びる第二端部を有する第一コンタクトピン；
前記少なくとも一つの実質的にチューブ状の部分内に含まれる第一端部、及び、前記内部アライメント部材の前記第二端部を超えて延びる第二端部を有する第二コンタクトピン；
前記第一及び第二コンタクトピンの前記第一端部間に配置され、かつ、前記第一コンタクトピンを前記第二コンタクトピンから遠ざける方向に弾性的に付勢する、少なくとも一つのスプリング
を含む同軸コネクタ。
【請求項７】
電気システムであって：
第一プリント回路基板及び第二プリント回路基板であり、該第一及び第二プリント回路基板のそれぞれが、コネクタレセプタクル；コンタクトパッド；を含むところの第一プリント回路基板及び第二プリント回路基板：
前記第一及び第二プリント回路基板間に置かれる同軸コネクタであり、該同軸コネクタが、外部コンタクト部材；前記外部コンタクト部材から電気的に絶縁され、かつ、少なくとも部分的に前記外部コンタクト部材内に配置される第一コンタクトピン；前記外部コンタクト部材から電気的に絶縁され、かつ、少なくとも部分的に前記外部コンタクト部材内に配置される第二コンタクトピン；前記第一及び第二コンタクトピン間に配置され、かつ、前記第一コンタクトピンを前記第二コンタクトピンから遠ざける方向に弾性的に付勢する少なくとも一つのスプリング；を含むところの同軸コネクタ：
を含み、
前記第一コンタクトピンが前記第一プリント回路基板の前記コンタクトパッドに接触し、前記外部コンタクト部材の前記第一端部が前記第一プリント回路基板の前記コネクタレセプタクル内に位置付けられ、前記第二コンタクトピンが前記第二プリント回路基板の前記コンタクトパッドに接触し、かつ、前記外部コンタクト部材の前記第二端部が前記第二プリント回路基板の前記コネクタレセプタクル内に位置付けられる、
電子システム。
【請求項８】
前記第一及び第二コンタクトピンは、前記外部コンタクト部材と共に同軸上に揃えられる、
請求項７の電気システム。
【請求項９】
前記第一コンタクトピンは、前記外部コンタクト部材内に配置される第一端部、及び、前記外部コンタクト部材を超えて延びる第二端部を含む、
請求項７の電気システム。
【請求項１０】
前記第二コンタクトピンは、前記外部コンタクト部材内に配置される第一端部、及び、前記外部コンタクト部材を超えて延びる第二端部を含む、
請求項９の電気システム。
【国際調査報告】
2008529255.tif 000007